(57)【要約】【課題】本発明は、電子装置を提供することを目的とする。【解決手段】本発明の電子装置は、本体と、取付モジュールと、前記取付モジュールに着脱可能に装着される支持モジュールと、を備え、前記取付モジュールは、前記本体に固定される固定ラックと、前記固定ラックに固定される取付ラックと、前記取付ラックにスライド可能に装着される係合部材と、を備え、前記支持モジュールは、接続部材を備え、前記接続部材から２つの接続部が突出して形成され、２つの前記接続部には、それぞれ１つの接続孔が設けられ、前記係合部材には、２つの前記接続孔に係合することができる２つの係合フックが設置されて、前記支持モジュールを前記取付モジュールに固定することができ、前記固定ラックに対して前記係合部材をスライドさせると、２つの前記係合フックが前記接続部材の２つの接続孔から退出して、前記支持モジュールを前記取付モジュールから取り外す。【選択図】図１
2012222348.tif 000002
【特許請求の範囲】
【請求項１】
本体と、取付モジュールと、前記取付モジュールに着脱可能に装着される支持モジュールと、を備え、
前記取付モジュールは、前記本体に固定される固定ラックと、前記固定ラックに固定される取付ラックと、前記取付ラックにスライド可能に装着される係合部材と、を備え、
前記支持モジュールは、接続部材を備え、
前記接続部材から２つの接続部が突出して形成され、２つの前記接続部には、それぞれ１つの接続孔が設けられ、前記係合部材には、２つの前記接続孔に係合することができる２つの係合フックが設置されて、前記支持モジュールを前記取付モジュールに固定することができ、
前記固定ラックに対して前記係合部材をスライドさせると、２つの前記係合フックが前記接続部材の２つの前記接続孔から退出して、前記支持モジュールを前記取付モジュールから取り外すことを特徴とする電子装置。
【請求項２】
前記本体の背面には、前記固定ラックを収容する収容部が設けられ、前記固定ラックは収容フレームを備え、前記取付ラックは、前記固定ラックの前記収容フレーム内に装着され、前記係合部材は、前記取付ラックの内側にスライド可能に装着され、前記係合部材の前記係合フックは、前記固定ラックの外部に露出され、前記接続部材は、前記固定ラックの前記収容フレーム外に装着され、２つの前記接続部は、前記接続部材の片側から延在して形成されることを特徴とする請求項１に記載の電子装置。
【請求項３】
前記固定ラックは、固定板と、前記固定板の上下両側辺から垂直に延在してなる上側板及び下側板と、を備え、前記収容フレームは、前記固定板、前記上側板及び前記下側板が囲んで形成され、前記固定板と前記下側板との接続箇所には、前記係合部材の２つの前記係合フックを貫通させる２つの挿入孔が設けられ、前記係合フックは、Ｌ字状であり、前記係合部材の下側から下方に向かって突出して形成されることを特徴とする請求項２に記載の電子装置。
【請求項４】
前記固定ラックの前記固定板の上側には、２つの係合部が外側に向かって突出して形成され、各々の前記係合部には係合孔が設けられ、前記接続部材の上側辺から前記固定ラックの係合孔に係合することができる２つのＬ字状の係合フックが突出して形成されることを特徴とする請求項３に記載の電子装置。
【請求項５】
前記固定板には、複数のねじ孔が設けられ、前記取付ラックは、底板、前記底板の上側辺から延在される上側板及び前記底板の両端から延在される２つの端板を備え、２つの前記端板及び前記上側板から延在してなる折曲辺には、貫通孔が設けられ、複数のねじは、前記取付ラックの前記折曲辺の前記貫通孔を貫通して前記固定板の前記ねじ孔に螺合することを特徴とする請求項４に記載の電子装置。
【請求項６】
前記固定ラックの前記下側板において、２つの前記挿入孔の間には貫通孔が設けられ、前記係合部材の下側には、前記固定ラックの前記貫通孔を貫通することができる押圧部が突出して形成されることを特徴とする請求項５に記載の電子装置。
【請求項７】
前記取付モジュールは、第二弾性部材及び操作部材をさらに備え、前記第二弾性部材は、前記押圧部と前記操作部材との間に挟まれ、且つ前記操作部材は、前記固定ラックの前記下側板の前記貫通孔を貫通して前記本体の外部に露出することを特徴とする請求項６に記載の電子装置。
【請求項８】
前記係合部材の頂部の両端には、それぞれ１つのホックが突出して形成され、前記取付ラックの前記底板には、２つの係合シートが突出して形成され、各々の前記係合シートには、貫通孔が設けられ、２つのスプリングの一端のグロメットは前記係合部材の前記ホックに掛け、２つの前記スプリングの他端のグロメットは前記取付ラックの前記係合シートの前記貫通孔を貫通することを特徴とする請求項６または７に記載の電子装置。
【請求項９】
前記取付ラックの前記底板には、短手方向に沿って延在する２つのガイド孔が設けられ、前記係合部材には、複数のねじ孔が設けられ、複数のねじが前記取付ラックの２つの前記ガイド孔を貫通して前記係合部材のねじ孔に螺合して、前記係合部材は、前記取付ラックの前記底板に対してスライドすることができることを特徴とする請求項８に記載の電子装置。
【請求項１０】
前記支持モジュールは、前記接続部材に固定される連結部材及び前記連結部材に枢着して前記本体を支持するために用いられる支持体をさらに備えることを特徴とする請求項１から９のいずれか一項に記載の電子装置。
【発明の詳細な説明】
【技術分野】
【０００１】
本発明は、電子装置に関するものである。
【背景技術】
【０００２】
オールインワンの設計思想を導入した一体型パソコン又は液晶表示装置のような電子装置のホルダーは、一般的にねじによって前記電子装置のハウジングに固定される。前記電子装置を壁に掛ける場合、道具によって前記ホルダーを前記ハウジングから取り外すことが必要とされるので、操作に不便である。
【発明の概要】
【発明が解決しようとする課題】
【０００３】
本発明の目的は、前記課題を解決し、容易に操作できる電子装置を提供することである。
【課題を解決するための手段】
【０００４】
本発明に係る電子装置は、本体と、取付モジュールと、前記取付モジュールに着脱可能に装着される支持モジュールと、を備え、前記取付モジュールは、前記本体に固定される固定ラックと、前記固定ラックに固定される取付ラックと、前記取付ラックにスライド可能に装着される係合部材と、を備え、前記支持モジュールは、接続部材を備え、前記接続部材から２つの接続部が突出して形成され、２つの前記接続部には、それぞれ１つの接続孔が設けられ、前記係合部材には、２つの前記接続孔に係合することができる２つの係合フックが設置されて、前記支持モジュールを前記取付モジュールに固定することができ、前記固定ラックに対して前記係合部材をスライドさせると、２つの前記係合フックが前記接続部材の２つの接続孔から退出して、前記支持モジュールを前記取付モジュールから取り外す。
【発明の効果】
【０００５】
従来の技術に比べて、本発明の電子装置は、スライドできる係合部材の係合フックが接続部材の接続孔に係合して、支持モジュールを取付モジュールに固定する。前記支持モジュールを取り外す場合、前記係合部材を操作して、前記係合部材の係合フックが前記接続部材の接続孔から退出するようにして、前記支持モジュールを迅速に取り外すことができ、道具を使用することがなく、操作に便利である。
【図面の簡単な説明】
【０００６】
【図１】本発明の実施形態に係る電子装置の分解斜視図である。
【図２】図１に示す電子装置の取付モジュールの分解図である。
【図３】図２に示す取付モジュールを別の視角から見た図である。
【図４】図２に示す取付モジュールの組立図である。
【図５】図１に示す電子装置の支持モジュールの分解図である。
【図６】図５に示す支持モジュールの組立図である。
【図７】本発明の実施形態に係る電子装置の取付過程を示す図である。
【図８】本発明の実施形態に係る電子装置の取付過程を示す図である。
【図９】本発明の実施形態に係る電子装置の取付過程を示す図である。
【図１０】本発明の実施形態に係る電子装置の取付過程を示す図である。
【発明を実施するための形態】
【０００７】
以下、図面を参照して、本発明の実施形態について説明する。
【０００８】
図１を参照すると、本発明の実施形態に係る電子装置は、本体４０と、取付モジュール１０と、支持モジュール２０と、を備える。前記取付モジュール１０は、前記本体４０内に収容され、前記支持モジュール２０は、前記取付モジュール１０に装着されて、前記本体４０を支持する。前記本体４０の背面には、収容部４２と、前記収容部４２の下方に位置し且つ前記収容部４２に連通される操作部４４と、が設けられる。前記収容部４２の底壁には、４つのねじ孔４２２が設けられる。本実施形態において、前記電子装置は、一体型パソコンである。
【０００９】
図２及び図３を参照すると、前記取付モジュール１０は、固定ラック１２、係合部材１４、取付ラック１６、２つの第一弾性部材１７、第二弾性部材１８及び操作部材１９を備える。
【００１０】
前記固定ラック１２は、矩形の固定板１２２及び前記固定板１２２の上下両側辺から垂直に延在してなる上側板１２４及び下側板１２６を備える。前記固定板１２２、前記上側板１２４及び前記下側板１２６が囲んで収容フレーム１２７を形成する。前記上側板１２４及び前記下側板１２６の前端が互いに離れるように外側に向かって垂直に延在して、２つの固定孔１２４４がそれぞれに設けられた上折曲辺及び下折曲辺を形成する。前記固定板１２２の前記上側板１２４に近い箇所には、２つの係合部１２８が外側に向かって突出して形成され、各々の前記係合部１２８には、係合孔１２８２が設けられる。前記固定板１２２と前記下側板１２６との接続箇所には、貫通孔１２５及び前記貫通孔１２５の両側に位置する２つの挿入孔１２９が設けられる。前記固定板１２２の中央部には、３つのねじ孔１２２６が設けられる。
【００１１】
前記係合部材１４は、長方形のスライドパネル１４２を備える。前記スライドパネル１４２の前記固定ラック１２に対面する表面の上側辺の両端には、それぞれ１つのホック１４４が突出して形成され、前記スライドパネル１４２の前記固定ラック１２に対面する表面の下側辺の両端には、それぞれ下方に向かって突出するＬ字状の係合フック１４６が形成される。各々の前記係合フック１４６の底部には、ガイド面１４６８が斜めに形成される。前記スライドパネル１４２における２つの前記係合フック１４６の間には、Ｕ字状の押圧部１４７が形成される。前記スライドパネル１４２の前記固定ラック１２に対面する表面には、４つの突柱が突出して形成され、各々の前記突柱には、その軸方向に沿って前記スライドパネル１４２を貫通するねじ孔１４８が設けられる。
【００１２】
前記取付ラック１６は、矩形の底板１６４、前記底板１６４の上側辺から前記固定ラック１２に向かって延在する上側板１６５及び前記底板１６４の両端から前記固定ラック１２に向かって延在する２つの端板１６６を備える。前記底板１６４、前記上側板１６５及び２つの前記端板１６６が囲んで収容部１６２を形成する。前記底板１６４の中央部には、底板１６４の短手方向に沿って延在する２つのガイド孔１６４２が設けられる。前記底板１６４の下部において、２つの前記ガイド孔１６４２の両側には、２つの係合シート１６４４が前記固定ラック１２に向かって突出して形成され、各々の前記係合シート１６４４には、貫通孔１６４６が設けられる。前記底板１６４の下側辺の両端から前記固定ラック１２に向かって２つの当止シート１６８が垂直に延在して形成され、２つの前記当止シート１６８は互いに離間して設置される。２つの前記端板１６６及び前記上側板１６５の一端から別々に外側に向かって垂直に延在してなる折曲辺には、貫通孔がそれぞれに設けられる。
【００１３】
本実施形態において、前記第一弾性部材１７は、その両端にグロメット１７２が形成されたスプリングであり、前記第二弾性部材１８は、圧縮スプリングである。前記操作部材１９は、底部が閉鎖された円柱状のスリーブである。
【００１４】
図５及び図６を参照すると、前記支持モジュール２０は、支持体２２と、連結部材２４と、接続部材２６と、２つのシャフト２８と、を備える。以下の説明では、前記接続部材２６のうち、前記本体４０に向けられた方向を「前」方向とし、また、その反対方向を「後」方向とする。
【００１５】
前記支持体２２は、略長方形の板状体であり、前記支持体２２の上端の両端には、それぞれ１つの枢着シート２２４が形成され、２つの前記枢着シート２２４には、それぞれ１つの枢着孔２２６が設けられる。
【００１６】
前記連結部材２４は、４つの固定孔２４８が設けられた長方形の固定部２４２及び前記固定部２４２の両端から垂直に延在してなる２つの枢着シート２４４を備え、２つの前記枢着シート２４４には、それぞれ１つの枢着孔２４６が設けられる。
【００１７】
前記接続部材２６は、矩形の板状体であり、４つの固定孔２６９が設けられている。前記接続部材２６の上側辺から前方に向かって２つのＬ字状の係合フック２６４が突出して形成され、前記接続部材２６の下側辺から前方に向かって２つの接続部２６６が突出して形成され、２つの前記接続部２６６には、それぞれ１つの接続孔２６８が設けられる。
【００１８】
図１〜図４を参照すると、前記取付モジュール１０を組み立てる場合、前記係合部材１４を前記取付ラック１６の収容部１６２に装着して、前記係合部材１４のスライドパネル１４２は、前記取付ラック１６の２つの係合シート１６４４の間に位置し、前記係合部材１４の２つの係合フック１４６は、前記取付ラック１６の２つの当止シート１６８に当止され、前記係合部材１４の押圧部１４７は、前記取付ラック１６の２つの当止シート１６８の間に位置する。４つのねじは、前記取付ラック１６の２つのガイド孔１６４２を貫通して、前記係合部材１４の４つのねじ孔１４８に螺合して、前記係合部材１４を上下方向に沿ってスライド可能に前記取付ラック１６内に装着する。２つの前記第一弾性部材１７の一端のグロメット１７２を前記係合部材１４のホック１４４に掛け、２つの前記第一弾性部材１７の他端のグロメット１７２を前記取付ラック１６の係合シート１６４４の貫通孔１６４６に貫通させる。前記第二弾性部材１８の一端を前記操作部材１９に収容し、前記第二弾性部材１８の他端を前記係合部材１４の押圧部１４７に固定する。前記取付ラック１６を前記固定ラック１２の収容フレーム１２７内に装着して、前記係合部材１４の２つの係合フック１４６は、前記固定ラック１２の２つの挿入孔１２９を貫通し、前記操作部材１９は、前記固定ラック１２の貫通孔１２５を貫通する。３つのねじは、前記取付ラック１６の折曲辺の貫通孔を貫通して前記固定板１２２のねじ孔１２２６に螺合して、前記取付ラック１６を前記固定ラック１２に装着する。前記第二弾性部材１８は、前記係合部材１４と前記操作部材１９との間に当接して、前記操作部材１９の揺動を防止する。前記操作部材１９の底部は、前記固定ラック１２から外部に露出する。
【００１９】
前記取付モジュール１０の収容フレーム１２７と前記本体４０の収容部４２とを位置合わせしてから、前記取付モジュール１０を前記本体４０の収容部４２に設置し、４つのねじは、前記固定ラック１２の固定孔１２４４を貫通して前記本体４０のねじ孔４２２に螺合して、前記取付モジュール１０を前記本体４０に装着する。この時、前記操作部材１９の下部は、前記本体４０の操作部４４に延在する。
【００２０】
図５及び図６を参照すると、前記支持モジュール２０を組み立てる場合、前記連結部材２４の２つの枢着シート２４４を前記支持体２２の２つの枢着シート２２４の間に設置してから、２つの前記シャフト２８を前記連結部材２４の２つの枢着シート２４４の間に設置して、２つの前記シャフト２８、前記連結部材２４の枢着シート２４４の枢着孔２４６及び前記支持体２２の枢着シート２２４の枢着孔２２６を同一直線上に位置させ、２つのねじ２９は、前記枢着孔２２６、２４６及び前記シャフト２８を貫通してからナットと螺合して、前記支持体２２を前記連結部材２４に枢着する。前記接続部材２６の背面を前記連結部材２４の固定部２４２に貼り合わせてから、４つの固定部材は、前記接続部材２６の固定孔２６９を貫通して前記固定部２４２の固定孔２４８に固定されて、前記接続部材２６を前記連結部材２４に装着する。
【００２１】
図７〜図１０を参照すると、前記支持モジュール２０と前記取付モジュール１０とを組み立てる場合、前記接続部材２６の２つの係合フック２６４を前記固定ラック１２の２つの係合孔１２８２に係合させてから、前記支持モジュール２０を推進すると、前記接続部材２６の２つの接続部２６６は前記係合部材１４の係合フック１４６のガイド面１４６８を推進して、前記係合部材１４は前記取付ラック１６の２つのガイド孔１６４２に沿って上方に向かってスライドして、２つの前記第一弾性部材１７は引き伸ばされる。続いて前記支持モジュール２０を推進して、前記係合部材１４の２つの係合フック１４６がちょうど前記接続部材２６の２つの接続部２６６の接続孔２６８に対応すると、２つの前記第一弾性部材１７は弾性復帰して、前記係合部材１４は前記取付ラック１６の２つのガイド孔１６４２に沿って下方に向かってスライドして、前記係合部材１４の２つの係合フック１４６は、前記接続部材２６の２つの接続部２６６の接続孔２６８に係合し、前記支持モジュール２０を前記取付モジュール１０に固定する。このようにして、前記支持モジュール２０を前記電子装置に装着する。
【００２２】
前記支持モジュール２０を前記電子装置から取り外して、前記電子装置を壁に掛ける場合、前記操作部材１９を上方に向かって推進して、前記係合部材１４を上方に向かってスライドさせて、前記第一弾性部材１７は弾性変形し、続いて前記操作部材１９を上方に向かって推進して、前記係合部材１４の２つの係合フック１４６を前記接続部材２６の２つの接続部２６６の接続孔２６８から退出させる。この際、前記支持モジュール２０を抜き出すと、前記接続部材２６の２つの係合フック２６４は、前記固定ラック１２の係合孔１２８２から退出して、これにより前記支持モジュール２０を取り外すことができる。この際、前記取付モジュール１０は、前記電子装置の収容部４２内に収容されて、前記電子装置を壁に掛けることに影響しない。
【００２３】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２４】
１０  取付モジュール
１２  固定ラック
１４  係合部材
１６  取付ラック
１７  第一弾性部材
１８  第二弾性部材
１９  操作部材
２０  支持モジュール
２２  支持体
２４  連結部材
２６  接続部材
２９  ねじ
４０  本体
４２，１６２  収容部
１２２  固定板
１２４，１６５  上側板
１２５，１６４６  貫通孔
１２６  下側板
１２７  収容フレーム
１２８  係合部
１２９  挿入孔
１４２  スライドパネル
１４４  ホック
１４６  係合フック
１４７  押圧部
１６４  底板
１６６  端板
１６８  当止シート
１７２  グロメット
２２４，２４４  枢着シート
２２６，２４６  枢着孔
２４２  固定部
２６４  係合フック
２６６  接続部
２６８  接続孔
２４８，２６９，１２４４  固定孔
１４８，４２２，１２２６  ねじ孔
１２８２  係合孔
１４６８  ガイド面
１６４２  ガイド孔
１６４４  係合シート
【図１】
2012222348.tif 000003
【図２】
2012222348.tif 000004
【図３】
2012222348.tif 000005
【図４】
2012222348.tif 000006
【図５】
2012222348.tif 000007
【図６】
2012222348.tif 000008
【図７】
2012222348.tif 000009
【図８】
2012222348.tif 000010
【図９】
2012222348.tif 000011
【図１０】
2012222348.tif 000012